(57)【要約】  本発明は、多数のフィラメントを特色とするブリストル部が配置され、少なくとも１つのフィラメントは、それ自体の自由端上にテーパを設けられている、ブリストルキャリアを持つ歯ブラシヘッドに関し、ならびにこのような歯ブラシヘッドを有する歯ブラシに関する。本発明は、一方向におけるフィラメントの高度な曲げ強さを維持するために、少なくとも１つのフィラメントの先端に、回転対称の形状以外の形状を有するテーパを実現することを提案する。本発明によれば、テーパは、フィラメントが、テーパの領域において、第１の横軸に対し垂直に延在している第２の横軸に関するよりも、第１の横軸に関してより大きな曲げ強さを有するように、平坦に押圧された嵌め継ぎ部の形で実現される。平坦に押圧された嵌め継ぎ部の領域におけるフィラメント断面は、縦軸または長い主軸ならびにより短い横軸または短い主軸を有しており、その結果、フィラメントが、嵌め継ぎ部の領域において、２つの上述した軸に関し異なる断面二次モーメントを有するようになっている。フィラメントの先端における平坦に押圧された嵌め継ぎ部は、歯間スペースへの侵入を簡単にし、一方で、広い側面のより高度な断面二次モーメントが、このプロセスの間のフィラメントの曲がりを低減させる。【選択図】  図１
2009529389.tif 000002
【特許請求の範囲】
【請求項１】
多数のフィラメント（１）を特色とするブリストル部（１５）が配置され、少なくとも１つのフィラメント（１）がフィラメントの自由端（３）上にテーパを設けられている、ブリストルキャリア（２）を持つ歯ブラシヘッドであって、前記フィラメント（１）が、前記テーパの領域において、第１の横軸に対し垂直に延在している第２の横軸に関するよりも、前記第１の横軸に関してより大きな曲げ強さを有するように、前記テーパが、平坦に押圧された嵌め継ぎ部（scarfing）（４）の形で実現されることを特徴とする、歯ブラシヘッド。
【請求項２】
前記嵌め継ぎ部（４）が、くさび形のような形で実現される、請求項１に記載の歯ブラシヘッド。
【請求項３】
歯ブラシの長手方向軸が歯列弓に対してほぼ接線方向に位置合わせされるように、前記ブラシヘッドが歯の列に対して適切に配置された時、前記嵌め継ぎ部（４）の断面の長い方の主軸が、スロット形状の歯間スペースに対しほぼ平行に延在するように、前記少なくとも１つのフィラメント（１）が、前記ブリストルキャリア（２）に位置合わせされている、請求項１〜２のいずれか一項に記載の歯ブラシヘッド。
【請求項４】
前記歯ブラシの長手方向軸が前記歯列弓に対しほぼ接線方向に位置合わせされるように、前記ブラシヘッドが前記歯の列に対して適切に置かれる時、前記より高度な曲げ強さがブラッシング動作に関して前記歯間スペースに平行に延在するように、前記少なくとも１つのフィラメント（１）が、前記ブリストルキャリア（２）に位置合わせされている、請求項１〜３のいずれか一項に記載の歯ブラシヘッド。
【請求項５】
前記嵌め継ぎ部（４）が、フィラメントの長手方向軸に対して鋭角に傾斜している斜面（５）によって形成されている、請求項１〜４のいずれか一項に記載の歯ブラシヘッド。
【請求項６】
前記嵌め継ぎ部（４）が、前記フィラメントの長手方向軸に対して鋭角にそれぞれ傾斜している２つの対向する斜面（５、６）によって形成されている、請求項１〜４のいずれか一項に記載の歯ブラシヘッド。
【請求項７】
前記斜面（５）または前記斜面（５、６）が、平面状に実現されている、請求項５または６のいずれか一項に記載の歯ブラシヘッド。
【請求項８】
少なくとも１つの斜面（５、６）が、曲率が設けられている、請求項５または６に記載の歯ブラシヘッド。
【請求項９】
前記曲率が、一軸で実現されている、請求項８に記載の歯ブラシヘッド。
【請求項１０】
前記曲率が、凸状に実現されている、請求項８または９のいずれか一項に記載の歯ブラシヘッド。
【請求項１１】
前記曲率が、凹状に実現されている、請求項７〜９のいずれか一項に記載の歯ブラシヘッド。
【請求項１２】
前記嵌め継ぎ部（４）の縁部に、前記フィラメント（１）の少なくとも前記自由端（３）の方へ向かって丸み（１２）が設けられている、請求項１〜１１のいずれか一項に記載の歯ブラシヘッド。
【請求項１３】
前記丸み（１２）が、前記斜面（５、６）の全体の外側輪郭に続いていることを特徴とする、請求項１２に記載の歯ブラシヘッド。
【請求項１４】
前記嵌め継ぎ部（４）が、先の鈍いヘッド表面（８）を特色とする、請求項１〜１３のいずれか一項に記載の歯ブラシヘッド。
【請求項１５】
前記先の鈍いヘッド表面（８）が、フィラメント径のほぼ１／５〜２／５の厚さを有する、請求項１４に記載の歯ブラシヘッド。
【請求項１６】
前記嵌め継ぎ部（４）が、４０°未満、好ましくは３０°未満のくさび角（７）を有する、請求項１〜１５のいずれか一項に記載の歯ブラシヘッド。
【請求項１７】
前記くさび角（７）が、１５°〜２５°の間である、請求項１６に記載の歯ブラシヘッド。
【請求項１８】
前記フィラメント（１）が、前記フィラメント（１）の嵌め継ぎされていない領域において円筒形輪郭を有する、請求項１〜１７のいずれか一項に記載の歯ブラシヘッド。
【請求項１９】
前記嵌め継ぎ部（４）が、前記フィラメント（１）の自由長さ（１１）のほぼ１／８〜４／８、好ましくはほぼ３／８にわたって延在する、請求項１〜１８のいずれか一項に記載の歯ブラシヘッド。
【請求項２０】
前記嵌め継ぎ部（４）が、研削することによって製造される、請求項１〜１９のいずれか一項に記載の歯ブラシヘッド。
【請求項２１】
前記歯ブラシヘッドが、手動歯ブラシヘッドの形で実現される、請求項１〜２０のいずれか一項に記載の歯ブラシヘッド。
【請求項２２】
前記歯ブラシヘッドが、電動歯ブラシヘッドの形で実現され、かつ前記ブリストルキャリア（２）が、前記歯ブラシの長手方向軸に対し平行に延在する駆動軸（１８）のまわりを回転揺動するように駆動され得る、請求項１〜２０のいずれか一項に記載の歯ブラシヘッド。
【請求項２３】
前記少なくとも１つのフィラメント（１）が、前記嵌め継ぎ部（４）の前記断面の長い方の主軸を、前記歯ブラシの長手方向軸に対し垂直にして位置合わせされている、請求項２１または２２のいずれか一項に記載の歯ブラシヘッド。
【請求項２４】
前記歯ブラシヘッドが、電動歯ブラシヘッドの形で実現され、かつ前記ブリストルキャリア（２）が、前記歯ブラシの長手方向軸に対し垂直に延在する駆動軸（１８）のまわりを回転揺動するように駆動され得る、請求項１〜２０のいずれか一項に記載の歯ブラシヘッド。
【請求項２５】
前記ブリストルキャリア（２）の回転の中心位置において、前記歯ブラシの長手方向軸を含んでおりかつ前記歯ブラシの長手方向軸に対称に配置されている、１つまたは２つの対向する扇形のセクタ（２２、２３）内に、前記少なくとも１つのフィラメント（１）が、配置されており、前記少なくとも１つのフィラメント１が、前記ブリストルキャリア（２）の前記上述した回転の中心位置において、前記少なくとも１つのフィラメントの断面の長い方の主軸を、前記歯ブラシの長手方向軸に対し垂直に位置合わせされている、請求項２４に記載の歯ブラシヘッド。
【請求項２６】
前記扇形のセクタ（２２、２３）が、４５°未満、好ましくは３０°未満の角範囲にわたって延在する、請求項２５に記載の歯ブラシヘッド。
【請求項２７】
前記ブリストルキャリア（２）の前記回転の中心位置において、前記歯ブラシの長手方向軸に対し垂直に位置合わせされている軸上にある２つの対向する扇形のセクタ（２４、２５）内に、前記少なくとも１つのフィラメント（１）が、配置されており、前記少なくとも１つのフィラメント（１）が、前記ブリストルキャリア（２）の前記上述した回転の中心位置において、前記少なくとも１つのフィラメント（１）の断面の長い方の主軸を、前記歯ブラシの長手方向軸に対し垂直に位置合わせされている、請求項２４〜２６に記載の歯ブラシヘッド。
【請求項２８】
前記フィラメント（１）が、前記ブリストルキャリア（２）上のブリストルクラスタ（１４、２０、２１、２６、２７）に組み入れられており、かつ、平坦に押圧された嵌め継ぎ部（４）を有するフィラメント（１）を含むブリストルクラスタ（１４、２０、２１、２６、２７）内の、嵌め継ぎ部（４）を有する全てのフィラメント（１）の少なくとも３／４が、好ましくは、前記同じブリストルクラスタ（１４、２０、２１、２６、２７）内の全てのフィラメント（１）が、同じ配列を有する、請求項１〜２７のいずれか一項に記載の歯ブラシヘッド。
【請求項２９】
前記フィラメント（１）の前記曲げ強さが、前記第２の横軸に関する前記曲げ強さより前記第１の横軸に関して少なくとも２０％、好ましくは３５％以上大きくなるように、前記嵌め継ぎ部（４）が実現される、請求項１〜２８のいずれか一項に記載の歯ブラシヘッド。
【請求項３０】
請求項１〜２９のいずれか一項に記載の歯ブラシヘッドを有する歯ブラシ。
【発明の詳細な説明】
【発明の内容】
【０００１】
本発明は、多数のフィラメントを備えるブリストル部が配置されている、ブリストルキャリアを持つ歯ブラシヘッドであって、少なくとも１つのフィラメントがフィラメントの自由端の方へ向うテーパを設けられている、歯ブラシヘッド、ならびにこのような歯ブラシヘッドを有する歯ブラシに関する。
【０００２】
ブリストルを有する歯ブラシの実現は、既に提案されており、ブリストルのフィラメントは、フィラメントの基部におけるよりもフィラメントの自由端においてより小さな直径を有する。この通常は円錐形のまたはノーズコーン形のテーパは、フィラメントが歯間スペースに侵入し易く、かつ歯間スペースをよりよく清掃できるように、意図されている。しかし、フィラメントのテーパは、結果として、この侵入を妨げるまたは損うことになる、曲げ強さの低減につながる。フィラメントの断面二次モーメントが低減され、その結果、フィラメントは、歯間スペースの方向に過度に軟らかくなり、歯間スペースに、もはや侵入することができなくなる。
【０００３】
特開平１１−０７５９３９号は、歯ブラシのためのブリストル配置を記述しており、そのような要素には、要素の先端へ向かうテーパが設けられているが、このブリストル配置では、結局、歯間スペースへの侵入を実際に確実に改善することができない。さらに、米国特許第２００５／０１７２４３６号は、個々のフィラメントが段階的な長さを有する、傾いたヘッドを持つ多数のフィラメントからなるブリストルクラスタを設けることを提案している。しかし、これは、個々のフィラメント自体が、フィラメントの自由端上に充分な先端またはテーパを設けられていない限り、実際に歯間スペースへの侵入を簡単にするものではない。
【０００４】
本発明は、従来技術の欠点を排除することを可能にし、かつ従来技術の有利な更なる展開を代表する、冒頭に引用したタイプの改善された歯ブラシヘッドを展開させる目的に基づく。本発明は、特に、歯間スペースへの改善されたフィラメントの侵入を達成することを目指すものである。
【０００５】
本発明によれば、この目的は、請求項１に記載の歯ブラシヘッドによって達成される。本発明の好ましい実施形態は、従属クレームの目的を形成する。
【０００６】
本発明は、一方向におけるフィラメントのより高度な曲げ強さを維持するために、少なくとも１つのフィラメントの先端のテーパに、回転対称の形状以外の形状を設けることを提案する。本発明によれば、テーパは、フィラメントのテーパ領域が、第１の横軸に対し垂直に延在している第２の横軸に関するよりも、第１の横軸に関してより大きな曲げ強さを有するように、平坦に押圧された嵌め継ぎ部の形で実現される。平坦に押圧された嵌め継ぎ部の領域において、フィラメント断面は、縦軸すなわち長い主軸、ならびにより短い横軸すなわち短い主軸を、それぞれ有しており、その結果、フィラメントは、嵌め継ぎ部の領域における両方の上述した軸に関し、異なる断面二次モーメントを有するようになっている。フィラメントの先端の平坦に押圧された嵌め継ぎ部は、歯間スペースへの侵入を簡単にし、広い（テーパされていない）側面（複数可）のより高度な断面二次モーメントが、フィラメントを曲がらないようにしている。フィラメントの平坦に押圧された嵌め継ぎ部またはテーパは、結果的に、フィラメント端部の１つの側面または２つの対抗する側面に、限定される。この文脈において、平坦に押圧されたという用語は、フィラメントの製造方法ではなく、むしろ、フィラメントの（上述のような）幾何学的形状を指す。
【０００７】
本発明の有利な更なる展開によれば、フィラメントの自由端は、くさび形のような形に嵌め継ぎ（scarf）されている。この場合、嵌め継ぎ部は、フィラメントの長手方向軸に対し鋭角で延在する１つの斜面のみを有して、実現され得る。あるいは、くさび形の嵌め継ぎ部が、フィラメントの自由端が本質的に切妻屋根形状の輪郭を有するように、互いに対して鋭角に傾斜する２つの対向する斜面を持ち、実現され得る。
【０００８】
本発明の更なる展開によれば、フィラメントのくさび形の嵌め継ぎ部を形成している少なくとも１つの斜面が、平面状に実現されてもよい。あるいは、斜面は、また、好ましくは一軸で実現された曲率を有することができる。本発明の有利な一実施形態によれば、少なくとも１つの斜面は、凸曲率を有しており、曲率軸は、フィラメントの長手方向軸に対して垂直に延在することができる。あるいは、または加えて、斜面はまた、フィラメントの長手方向軸を含む平面内にある軸に関し、凸状に湾曲してもよい。
【０００９】
本発明の更なる展開によれば、少なくとも１つの斜面は、また、凹曲率を有することができ、曲率軸は、フィラメントの長手方向軸に垂直に延在し、そして／または上述のようにフィラメントの長手方向軸を包含する平面内にあってもよい。
【００１０】
フィラメント端部において、平坦に押圧された嵌め継ぎ部は、有利なことに、嵌め継ぎ部の縁部上に丸みがあることを特色とする。歯間スペースに簡単に侵入できるにもかかわらず、これは、歯を優しく清掃し、かつ歯肉を傷めないことを可能にする。
【００１１】
嵌め継ぎ部は、おもて面上において、特にフィラメントの端部において、かつ／または横のフランクの方へ向かって、丸みをつけることができる。本発明の有利な一実施形態によれば、フィラメントの自由端は、上述した丸みを介して嵌め継ぎ部の斜面へと変形する、先の鈍い頂または残りの表面を特色とすることができる。嵌め継ぎ部の後に残存する先の鈍い頂の厚さは、原則として、必要なもしくは所望の鋭さまたは特定の用途に依存して、異なる寸法を有することができる。本発明の有利な一実施形態によれば、上述の先の鈍い頂は、フィラメント径の約１／５〜２／５の厚さを有することができる。
【００１２】
互いに対するまたはフィラメントの長手方向軸に対する、上述した斜面の傾斜は、また、原則として、異なるように選択してもよい。本発明の更なる一展開において、歯間スペースへの侵入を可能にする十分に強い設計と十分な残りの強度との好ましい妥協点は、嵌め継ぎ部が、４０°未満、好ましくは３０°未満のくさび角を有するという点において、達成される。本発明の有利な一実施形態によれば、嵌め継ぎ部は、１５°〜２５°の範囲のくさび角を有して実現され得る。
【００１３】
少なくとも１つのフィラメントは、原則として、フィラメントのスカーフされていない領域において、異なる断面形状を有することができる。本発明の有利な一実施形態によれば、フィラメントは、スカーフされていない領域において、円形断面を有する。
【００１４】
歯間スペースへの侵入を簡単にする十分なテーパを依然として実現しつつ、フィラメント全体が過度に脆弱になることを防止するために、本発明の更なる展開は、嵌め継ぎ部が、フィラメントの自由長さのほぼ１／８〜４／８、好ましくはフィラメントの自由長さの３／８にわたって延在することを提案している。
【００１５】
少なくとも１つのフィラメントが特別な位置合わせでブリストルキャリア上に配置される、すなわち、平坦に押圧された嵌め継ぎ部が歯間スペースに容易に侵入することができ、かつフィラメントが、歯間スペースにおけるふき取り動作の間、すなわち、歯の軸に対し平行に、より高度な曲げ強さを有するようにすることが、有利である。少なくとも１つのフィラメントは、特に、歯の列に対しブリストルヘッドが適切な方向に向けられた時、嵌め継ぎ部の断面の長い方の主軸が歯間スペースに対して平行に延在するように、すなわち、ブリストルキャリアの長手方向軸または歯ブラシの長手方向軸が本質的に歯のアーチに対して接線方向に位置決めされるように、ブリストルキャリアに配置され得る。
【００１６】
この場合、フィラメントは、歯ブラシまたは歯ブラシヘッドの設計に依存して、ブリストルキャリア上に、それぞれ異なって位置合わせされることができる。
【００１７】
歯ブラシヘッドが手動歯ブラシの部分を形成する場合、フィラメントは、嵌め継ぎ部の上述した断面の長い方の主軸が、歯ブラシの長手方向軸に対し垂直に延在するように、有利に位置合わせされる。嵌め継ぎ部が、上述のように互いに対して傾斜した２つの斜面を有して実現された場合、そのようにして形成された稜部は、２つの斜面間で、歯ブラシの長手方向軸に対し、垂直に延在する。
【００１８】
あるいは、歯ブラシヘッドはまた、電動歯ブラシ用に設計されることができる。この場合、スカーフされたフィラメントは、実現された運動の軸に依存して、異なって配置かつ位置合わせされることができる。本発明の有利な一実施形態によれば、歯ブラシヘッドのブリストルキャリアを持つ歯ブラシヘッドが、歯ブラシの長手方向軸に平行に延在する駆動軸のまわりを、回転揺動するように、駆動され得る。この場合、平坦に押圧された嵌め継ぎ部を有する少なくとも１つのフィラメントは、上述した手動歯ブラシと同様に位置合わせされる。断面の長い方の主軸は、歯ブラシの長手方向軸に対し垂直に延在する。
【００１９】
あるいは、歯ブラシヘッドは、歯ブラシの長手方向軸に対しほぼ垂直に延在する横軸のまわりを回転揺動するように駆動され得るブリストルキャリアを、特色とすることもできる。この場合、平坦に押圧された嵌め継ぎ部を持つ少なくとも１つのフィラメントは、歯ブラシのほぼ長手方向軸上にある、ブリストルキャリアの回転の中心位置に位置している、ブリストル配置のあるセクタ内に有利に配置され、上述したセクタは、異なる角度にわたって、しかし有利には、４５°未満、特に３０°未満に達する角度で延在することができる。ブリストルキャリアが歯列弓のほぼ接線方向に位置合わせされるように、ブラシヘッドが適切に位置決めされる場合、これらの２つのセクタまたは扇形のセクタ内に配置されたフィラメントは、少なくともほぼスロット形状の歯間スペースの方向に延びる動作をする。この場合、フィラメントの嵌め継ぎ部の断面の長い方の主軸が、歯ブラシの長手方向軸に対し垂直に延在するように、フィラメントを位置合わせすることが、有利である。
【００２０】
歯ブラシヘッドのブリストル配置は、原則として、従来は、複数のフィラメントクラスタまたはブリストルクラスタからなることができ、必要な場合、他の清掃要素、例えばふき取り用ストリップ、プラスチックワイパーまたはエラストマーワイパーなどもまた、設けることができる。少なくとも１つのブリストルクラスタの少なくとも１つのフィラメントが、上述のように実現される。ブリストル配置は、有利なことに、少なくとも１つのブリストルクラスタを備え、大多数のフィラメントが、上述のように実現される。１つのブリストルクラスタ内のフィラメントは、好ましくは少なくともほぼ同一の位置合わせ（すなわち、嵌め継ぎ部の断面の長い方の主軸は、ブリストルクラスタの全てのフィラメントにおいて、同じ方向に延在する）を有する。
【００２１】
原則として、少なくとも１つのフィラメントの嵌め継ぎ部を実現するための、様々な方法が考えられ得る。本発明の好ましい一実施形態によれば、嵌め継ぎ部、特に、少なくとも１つの斜面、および／またはこの斜面を限定する丸みは、ブリストル配置を嵌合した完成されたブリストルキャリアを研削することによって、製造される。
【００２２】
本発明のこれらの特徴ならびに他の特徴は、請求項においてのみならず、以下の好ましい実施形態の記述および対応する図においても開示されるが、これらの特徴は、本発明の目的を、個別に、または請求項におけるこれらの組み合わせに関係なく、下位の組み合わせ（ｓｕｂ−ｃｏｍｂｉｎａｔｉｏｎｓ）の形においても、定義することができる。
【００２３】
図１および図２は、図１および図２において詳細に例示されていない歯ブラシヘッドのブリストルキャリア２に挿入されている、フィラメントまたは歯ブラシフィラメント１を示す。フィラメント１の基部において、フィラメント１は、基本的に円筒形の形状を有しており、この基本的に円筒上の形状が、２つの側面においてフィラメント１の自由端３の方へ向かってスカーフされている。図１および図２による実施形態において、フィラメント１の自由端３上の嵌め継ぎ部４は、互いに対して鋭角に傾斜しており、かつ示した実施形態において平面状に実現されている、２つの対向する斜面５および６からなる。示した実施形態の２つの斜面５および６は、ほぼ２０°〜２５°のくさび角７を含み、２つの斜面５および６は、結果的にまっすぐな稜部が自由端３上に生じるように、配置される。
【００２４】
嵌め継ぎ部４は、示した実施形態において、嵌め継ぎ部のヘッドの先が鈍くなるように実現される。斜面５および６は、斜面５および６の自由端３において、数学的な線に完全には収束せず、むしろ、先の鈍いほぼ矩形のヘッド表面８が形成されるように、互いから僅かに間隔を置かれる。
【００２５】
図１によれば、おもて面上の斜面５および６の縁部には、それぞれの斜面５および６と先の鈍いヘッド表面８との間の移行部を形成する、丸み１２が設けられている。丸み１２は、斜面５、６の全体の外側輪郭に続いている。
【００２６】
この場合、嵌め継ぎ部４は、示した実施形態において、フィラメント１の全長１１のほぼ３／８に達する長さ１０にわたって延在するように、実現される。先の鈍いヘッド表面８の厚さ９は、示した実施形態において、フィラメント径のほぼ１／４に達する。
【００２７】
図１および図２において示した実施形態の代替変形例において、フィラメント１の嵌め継ぎ部４は、また、図３および図４に示すように、それぞれのフィラメント１の縦軸を参照してまた鋭角に延在する単一の斜面５によって、形成されることができる。この斜面５は、有利なことに、フィラメントの長手方向軸に対し、２面が嵌め継ぎ部されている場合よりも、傾斜が鋭くないようになっている。斜面５の傾斜角は、図３による実施形態において、再度ほぼ２５°に達しており、その結果、この場合、嵌め継ぎ部４もほぼ２５°の全くさび角７を有するようになっている。斜面５は、また、図３および図４に示した実施形態において平面状に実現されており、その結果、図４に示した斜面５の楕円形状が、フィラメント１の基本的に円筒形である形状に関連して、結果的に生じている。
【００２８】
おもて面上の斜面５の縁部は、図３および図４による実施形態において、また有利なことに、丸くなっている。斜面５も、図３および図４において示した実施形態において、丸み１２を介して、先の鈍いヘッド表面８へと変形している。この場合、斜面５の配置は、また、嵌め継ぎ部４がフィラメント１の全長１１のほぼ３／８に達する全長１０にわたって延在し、かつ先の鈍いヘッド表面８の厚さ９がフィラメント１の全体厚さのほぼ１／４に達するように、選択される。
【００２９】
図５および図６に示した実施形態は、本質的に図１および２に示した実施形態に対応しているが、斜面５および６は、この場合、平面状に実現されておらず、むしろ、フィラメントの長手方向軸に対し垂直に延在する軸のまわりに凹状に湾曲している。図５によれば、斜面５と６との間のくさび角７は、この場合、フィラメント１の自由端３の方へ減少している。しかし、このくさび角もまた、４０°未満、好ましくは１５°〜３５°の間であることが好ましい。
【００３０】
加えて、図７および図８による実施形態は、本質的にまた、図１および図２による実施形態に示される２面嵌め継ぎ部に対応しているが、斜面５および６は、この場合、凸曲率を有しており、（すなわち、フィラメントの長手方向軸に対し垂直に延在する曲率軸のまわりに）、斜面５と６との間のくさび角７が、フィラメントの自由端３の方へ向かって徐々に増加するようになっている。この場合、このくさび角は、有利なことに、１また、１５°〜３５°の間である。
【００３１】
斜面５および６は、代わりにまたは加えて、フィラメントの長手方向軸を含む平面内に延在する曲率軸のまわりの凸曲率または凹曲率を有することができる。図９は、このような凸曲率を示しており、一方、図１０は、斜面５および６の対応している凹曲率を示す。
【００３２】
嵌め継ぎ部４および丸み１２は、ブリストル配置を嵌合した完成したブリストルキャリア２のフィラメントを研削することによって、製造され得る。図１〜図１０において示されるフィラメント１の１つの共通の態様は、嵌め継ぎ部４の本質的にくさび形である設計であり、フィラメント１は、嵌め継ぎ部４の領域において、互いに直角または垂直に延在する軸に関して、異なる断面二次モーメントを有する。フィラメント１の曲げ強さは、嵌め継ぎ部４の断面の短い方の主軸の方向におけるよりも、断面の長い方の主軸の方向１３（図２、図４、図６および図８を参照）において、より大きい。換言すれば、これは、フィラメント１は、フィラメント１が、嵌め継ぎ部の斜面５および６に対して平行に曲げられた時に、より堅固であり、かつ斜面５および６に対し垂直に曲げられた場合に、より堅固でないことを意味する。
【００３３】
フィラメント１は、歯ブラシが歯列アーチに対して適切に置かれた時、断面の長い方の主軸の方向１３がスロット形状の歯間スペースに対し平行に延在するように、有利に位置合わせされる。図１１によれば、フィラメント１は、ブリストルクラスタ１４に組み入れることができ、かつブリストルクラスタ１４と共に、歯ブラシヘッド１７のブリストルキャリア１２に配置されたブリストル部１５を、形成することができる。歯ブラシヘッド１７が、図１１に示すように手動歯ブラシの部分を形成する場合、フィラメント１は、方向１３の方向に延在するフィラメントの断面の長い方の主軸を、歯ブラシの長手方向軸に対し垂直にして、位置合わせされる。
【００３４】
これは、歯ブラシヘッド１７が電動歯ブラシ用に意図されており、ブリストルキャリア２が、図１２に示すように、歯ブラシの長手方向軸に対し平行に延在する駆動軸１８のまわりを回転揺動するように駆動され得る場合、同様に当てはまる。駆動軸１８のまわりの回転揺動の動作は、矢印１９によって象徴される。この場合、フィラメント１は、フィラメント１の断面の長い方の主軸を、歯ブラシの長手方向軸に対し垂直に延在する方向１３の方向に、したがって、駆動軸１８に対し垂直にして、位置合わせされる。
【００３５】
図１３に示す電動歯ブラシにおいて、ブリストルキャリア２は、本質的にディスクの形でまたは例えば楕円形のような形で実現され、かつ、駆動軸１８のまわりを回転揺動するように駆動され得る。この場合、駆動軸１８は、歯ブラシの長手方向軸に対しほぼ垂直である。この場合、２、３のブリストルクラスタのフィラメント１のみが、上述のようにスカーフされることが、有利である。これは、特に、ほぼ円筒形、または、例えば全体が楕円形の形状を有するブリストル部１５の、扇形のセクタまたはセクタ２２および２３内にあるブリストルクラスタ２０および２１に、関わり得るものであり、上記扇形のセクタは、歯ブラシの長手方向軸上にあり、かつブリストルキャリア２の回転の中心位置において、歯ブラシの長手方向軸に対して対称に配置される。上述したセクタ２２および２３は、例えば、示した実施形態において、それぞれ約３０°などの、異なる角範囲をカバーしてもよい。セクタ２２および２３内のブリストル部１５の端にあるブリストルクラスタ２０および２１は、スロット形状の歯間スペースに対し、ほぼ平行に延びる動作をする。矢印１３の方向に延在するフィラメント１の断面の長い方の主軸は、また、有利なことに、ブリストルキャリア２が、ブリストルキャリアの回転の中心位置に位置している時、歯ブラシの長手方向軸に対し垂直に位置合わせされている。
【００３６】
有利な更なる展開は、選択的にブリストル部１５を形成し、かつ特にセクタ２２および２３に隣接して配置される、対向して配置されたセクタ２４および２５に関する。セクタ２４および２５において、フィラメント１は、嵌め継ぎ部４の断面の長い方の主軸が歯ブラシの長手方向軸に対し垂直に、すなわち矢印１３の方向に延在するように、ブリストルクラスタ２６および２７内に配置される。これは、ブリストル部１５内の全てのフィラメント１の嵌め継ぎ部４が、互いに対し平行に位置合わせされていることを意味する。ブリストルキャリア１５が、矢印１９に従って回転揺動の動作をする時、セクタ２４および２５内のブリストルクラスタ２６および２７のフィラメント１の動く方向は、嵌め継ぎ部４の断面の短い方の主軸に対し、ほぼ垂直に延在する。これは、ブリストルクラスタ２６および２７のフィラメント１は、嵌め継ぎ部４の領域における曲げに対し、ほとんど抵抗を生じないことを意味する。したがって、フィラメント１は、セクタ２４および２５において容易に曲がることができ、フィラメントは、歯をブラッシングしつつ、歯肉と接触する。これにより、歯肉を傷めることが防止される。
【００３７】
ブリストル部１５の全てのフィラメント１の嵌め継ぎ部４が平行に位置合わせされることの更なる利点が、簡単な製造において、例えば、全てのフィラメント１において、嵌め継ぎ部４が同時に研削される場合などに、認められ得る。
【図面の簡単な説明】
【００３８】
【図１】本発明の好ましい一実施形態による歯ブラシの、くさび形にスカーフされたフィラメントの側面図である。
【図２】図１に対して９０°回転させた、嵌め継ぎ部の１つの斜面の上面図を示す、図１によるフィラメントの側面図である。
【図３】本発明の好ましい更なる実施形態による、くさび形の嵌め継ぎ部を持つフィラメントの側面図である。
【図４】図３に対して９０°回転させた、嵌め継ぎ部の１つの斜面の上面図を示す、図３によるフィラメントの側面図である。
【図５】本発明の好ましい更なる実施形態による、くさび形の嵌め継ぎ部を持つフィラメントの側面図である。
【図６】図５に対して９０°回転させた、嵌め継ぎ部の１つの斜面の上面図を示す、図５によるフィラメントの側面図である。
【図７】本発明の好ましい更なる実施形態による、くさび形の嵌め継ぎ部を持つフィラメントの側面図である。
【図８】図７に対して９０°回転させた、嵌め継ぎ部の１つの斜面の上面図を示す、図７によるフィラメントの側面図である。
【図９】両側面がスカーフされており、嵌め継ぎ部の斜面は凸状に湾曲している、本発明の有利な一実施形態によるフィラメントの断面図である。
【図１０】両側面がスカーフされており、嵌め継ぎ部の斜面は凹状に湾曲している、本発明の有利な一実施形態によるフィラメントの断面図である。
【図１１】本発明の好ましい一実施形態による歯ブラシヘッドを有する、手動歯ブラシの上面図である。
【図１２】歯ブラシの縦軸のまわりを回転揺動するように駆動され得る、本発明の好ましい一実施形態による歯ブラシヘッドを持つ電動歯ブラシの上面図である。
【図１３】ブリストル部が、横軸のまわりを回転揺動するように駆動され得る、発明の好ましい一実施形態による歯ブラシヘッドを持つ電動歯ブラシの上面図である。
【符号の説明】
【００３９】
１…フィラメント、２…ブリストル（剛毛）キャリア、３…自由端、４…嵌め継ぎ部（scarfing）、５、６…斜面、７…くさび角、８…ヘッド表面、９…厚さ、１０…長さ、１１…全長、１２…丸み。
【図１】
2009529389.tif 000003
【図２】
2009529389.tif 000004
【図３】
2009529389.tif 000005
【図４】
2009529389.tif 000006
【図５】
2009529389.tif 000007
【図６】
2009529389.tif 000008
【図７】
2009529389.tif 000009
【図８】
2009529389.tif 000010
【図９】
2009529389.tif 000011
【図１０】
2009529389.tif 000012
【図１１】
2009529389.tif 000013
【図１２】
2009529389.tif 000014
【図１３】
2009529389.tif 000015
【国際調査報告】
2009529389.tif 000016
2009529389.tif 000017
2009529389.tif 000018
2009529389.tif 000019
2009529389.tif 000020
2009529389.tif 000021